(57)【特許請求の範囲】
【請求項１】
上カバーと下カバーとを有する筐体にスピーカを備える情報機器であって、
前記下カバーは、
載置部である底板と、
前記底板から前記筐体の縁に向かって上向きに傾斜する傾斜板と、
前記底板から前記傾斜板にかけて設けられた複数の音響孔と、
を備え、
前記傾斜板における前記音響孔は前記傾斜板に対して垂直に貫通しており、
前記底板における前記音響孔は前記底板に対して垂直に貫通しており、
前記スピーカのスピーカユニットは複数の前記音響孔の上部に配置されていることを特徴とする情報機器。
【請求項２】
請求項１に記載の情報機器において、
前記スピーカユニットの振動板は、前記下カバーにおける前記スピーカユニットが対向する部分の平均傾斜角度に合わせて配置されていることを特徴とする情報機器。
【請求項３】
請求項１または２に記載の情報機器において、
前記傾斜板は平板であり、
前記底板と前記傾斜板とは屈曲部を介してつながっていることを特徴とする情報機器。
【請求項４】
請求項１〜３のいずれか１項に記載の情報機器において、
前記底板と前記傾斜板とは屈曲部を介してつながっており、
前記底板と前記傾斜板との間で前記屈曲部を介して隣接する前記音響孔の間隔は、前記底板における隣接する前記音響孔の間隔、および前記傾斜板における隣接する前記音響孔の間隔より大きいことを特徴とする情報機器。
【請求項５】
請求項１〜４のいずれか１項に記載の情報機器において、
前記底板および前記傾斜板は１枚の金属板であることを特徴とする情報機器。
【請求項６】
請求項１〜５のいずれか１項に記載の情報機器において、
前記音響孔は円形であることを特徴とする情報機器。
【請求項７】
上カバーと下カバーとを有する筐体にスピーカを備える情報機器の製造方法であって、
金属板に対して複数の音響孔を形成する工程と、
複数の前記音響孔が形成された領域を含む箇所で前記金属板を曲げ加工し、載置部である底板と、前記底板から前記筐体の縁に向かって上向きに傾斜する傾斜板とを形成する工程と、
スピーカユニットを複数の前記音響孔の上部に配置する工程と、
を有することを特徴とする情報機器の製造方法。
【発明の詳細な説明】
【技術分野】
【０００１】
本発明は、筐体にスピーカを備える情報機器およびその製造方法に関する。
【背景技術】
【０００２】
ノートブック型パーソナルコンピュータ（以下、ノート型ＰＣという）やタブレット型ＰＣ等の情報機器には、キーボードまたはタッチパネルを含む本体筐体にスピーカが設けられている場合がある。本体筐体にはスピーカの音声を外部に出力するための音響孔が設けられる。音響孔はスピーカの面積に応じて多数が設けられる。意匠上の観点、キーボードとのレイアウト上の関係、および異物の侵入を防止する目的から、音響孔は本体筐体の下部に形成し、これに合わせてスピーカを下向きに配置することがある（例えば、特許文献１参照）。一般的にスピーカおよび音響孔は本体筐体の縁に沿って設けられる。一般に、本体筐体および音響孔の樹脂成型をする場合、キャビティに対して樹脂を充填した後に２つの金型を上下方向に離間させて型開きをする。
【先行技術文献】
【特許文献】
【０００３】
【特許文献１】特開平１０−６９３６９号公報
【発明の概要】
【発明が解決しようとする課題】
【０００４】
近時の携帯用端末は薄型化されつつある。また、意匠上の観点から、本体筐体の縁部下面を傾斜させた形状にして本体筐体の端を一層薄くする場合がある。この場合、スピーカを本体筐体の縁にそって下向きに配置すると、少なくともその一部は本体筐体の傾斜部の上方に位置する。そうすると音響孔の少なくとも一部は傾斜部に形成する必要がある。本体筐体および音響孔を樹脂成型によって形成している場合には、２つの型を型開きさせるのが上下方向であることから、音響孔も一律に上下方向に貫通する形状となる。
【０００５】
ところが、傾斜板に対して音響孔が上下方向に貫通していると、スピーカの向きによっては音がスムーズに通過できず、いわゆる籠った音になる。また、スピーカの音は基本的には放射状に拡散することから、音響孔が一律の貫通方向となっていると特定方向については音がスムーズに通過できても、それ以外の方向については音響孔の部分である程度遮られてしまい、音質が低下する。
【０００６】
本発明は、上記の課題に鑑みてなされたものであって、スピーカの音質を向上させることのできる情報機器およびその製造方法を提供することを目的とする。
【課題を解決するための手段】
【０００７】
上述した課題を解決し、目的を達成するために、本発明の第１態様に係る情報機器は、上カバーと下カバーとを有する筐体にスピーカを備える情報機器であって、前記下カバーは、載置部である底板と、前記底板から前記筐体の縁に向かって上向きに傾斜する傾斜板と、前記傾斜板に設けられた複数の音響孔と、を備え、前記音響孔は前記傾斜板に対して垂直に貫通しており、前記スピーカのスピーカユニットは複数の前記音響孔の上部に配置されている。
【０００８】
このような情報機器では、音響孔はその設けられている傾斜板に対して垂直に貫通していることからスピーカの音が通り抜けやすく、いわゆる籠った音にならず音質を向上させることができる。また傾斜板と載置面との間には隙間が確保されることから、傾斜板の音響孔を通過した音は本体筐体の側方に導かれ、ユーザは聴き取りやすい。
【０００９】
前記音響孔は前記底板から前記傾斜板にかけて設けられており、前記底板における前記音響孔は、前記底板に対して垂直に貫通していてもよい。これにより、スピーカを底板から傾斜板にかけてそれらの上部に配置することができる。
【００１０】
前記スピーカユニットの振動板は、前記下カバーにおける前記スピーカユニットが対向する部分の平均傾斜角度に合わせて配置されていてもよい。これにより、スピーカの音が音響孔から一層通りやすくなる。
【００１１】
前記傾斜板は平板であり、前記底板と前記傾斜板とは屈曲部を介してつながっていてもよい。屈曲部により傾斜板を簡便に形成できる。
【００１２】
前記底板と前記傾斜板とは屈曲部を介してつながっており、前記底板と前記傾斜板との間で前記屈曲部を介して隣接する前記音響孔の間隔は、前記底板における隣接する前記音響孔の間隔、および前記傾斜板における隣接する前記音響孔の間隔より大きくてもよい。これにより、屈曲部を形成しやすく、しかも十分な強度が維持される。
【００１３】
前記底板および前記傾斜板は１枚の金属板であってもよい。
【００１４】
前記音響孔は円形であってもよい。
【００１５】
本発明の第２態様に係る情報機器の製造方法は、上カバーと下カバーとを有する筐体にスピーカを備える情報機器の製造方法であって、金属板に対して複数の音響孔を形成する工程と、複数の前記音響孔が形成された領域を含む箇所で前記金属板を曲げ加工し、載置部である底板と、前記底板から前記筐体の縁に向かって上向きに傾斜する傾斜板とを形成する工程と、スピーカユニットを複数の前記音響孔の上部に配置する工程と、を有する。
【００１６】
このような情報機器の製造方法によれば、載置部である底板と、該底板から本体筐体の縁に向かって上向きに傾斜する傾斜板と、傾斜板に複数の音響孔とを形成することができる。また、音響孔はその位置により底板および傾斜板に対して垂直に貫通するように形成することができる。
【発明の効果】
【００１７】
本発明の上記態様によれば、音響孔はその設けられている傾斜板に対して垂直に貫通していることからスピーカの音が通り抜けやすく、音質を向上させることができる。
【図面の簡単な説明】
【００１８】
【図１】図１は、実施の形態にかかる情報機器の平面図である。
【図２】図２は、実施の形態にかかる情報機器の下面図である。
【図３】図３は、図１におけるIII〜III線視による模式正面断面図である。
【図４】図４は、図３の一部拡大模式正面断面図である。
【図５】図５は、図２の一部拡大下面図である。
【図６】図６は、変形例にかかる情報機器を示す図であり、（ａ）は第１の変形例にかかる情報機器の一部拡大断面正面図であり、（ｂ）は第２の変形例にかかる情報機器の一部拡大断面正面図である。
【図７】図７は、情報機器の製造方法を示すフローチャートである。
【図８】図８は、情報機器の製造工程を説明する図であり、（ａ）は音響孔形成工程を説明する図であり、（ｂ）は曲げ工程を説明する図である。
【発明を実施するための形態】
【００１９】
以下に、本発明にかかる情報機器およびその製造方法の実施形態を図面に基づいて詳細に説明する。なお、この実施形態によりこの発明が限定されるものではない。
【００２０】
図１は、一実施形態に係る情報機器１０の平面図であり、具体的にはヒンジ２０によってディスプレイ筐体１８を本体筐体１４から開いて使用形態とした情報機器１０を上から見下ろした図である。本実施形態では、情報機器１０としてノート型ＰＣを例示する。情報機器１０は、例えばタブレット型ＰＣやスマートフォン等でもよい。
【００２１】
以下、図１に示す使用形態とされた情報機器１０のディスプレイ装置１６を正面から視認する方向を基準とし、本体筐体１４について手前側を前、奥側を後、厚み方向を上下、幅方向を左右と呼んで説明する。なお、これらの方向は説明の便宜上のものである。従って、使用形態や設置姿勢等により、例えば上記の上下方向や左右方向が反転することもある。また、情報機器１０がタブレット型ＰＣである場合にはディスプレイ面側が上方となる。
【００２２】
図１に示すように、情報機器１０は、キーボード装置１２を有する本体筐体１４と、ディスプレイ装置１６を有するディスプレイ筐体１８とを備える。ディスプレイ筐体１８は、本体筐体１４の後端部に対して左右一対のヒンジ２０，２０を介して回動可能に連結されている。ディスプレイ筐体１８は薄型でありその枠体は細い。ディスプレイ装置１６は、例えば液晶ディスプレイである。ヒンジ２０は後壁に沿って配置されている。
【００２３】
本体筐体１４は、上カバー２２と、下カバー２４とで形成された薄い箱体である。本体筐体１４は扁平形状で、平面視で矩形である。上カバー２２は、本体筐体１４の上面および四方の側面を構成したプレート状部材である。情報機器１０がタブレット型ＰＣである場合には、上カバー２２の大部分または全部をタッチパネル式のディスプレイ装置１６が兼ねていてもよい。
【００２４】
下カバー２４は、本体筐体１４の載置面を構成した部材である。上カバー２２はマグネシウム等の金属板やカーボン板などで構成されている。下カバー２４はアルミニウム板等のプレス用金属板で構成されている。
【００２５】
本体筐体１４の内部における前寄りの左右端にはスピーカ２６Ｒおよびスピーカ２６Ｌが設けられている。スピーカ２６Ｒ，２６Ｌはステレオ音声の再生が可能であり、それぞれ略下向き（図４参照）に設けられている。スピーカ２６Ｒ，２６Ｌは、平面視で前後方向に長い矩形であり、本体筐体１４の端に略沿って配置されている。スピーカ２６Ｒ，２６Ｌは左右方向には短いが前後方向に長く、その振動板４６ａ（図４参照）の面積は適度に広く確保され、高音だけでなく低音の出力にも適する。スピーカ２６Ｒ，２６Ｌに代えて、本体筐体１４の内部における前縁の左右端にスピーカ２７Ｒおよびスピーカ２７Ｌを設けてもよい。
【００２６】
図２は、情報機器１０の下面図である。図２に示すように、本体筐体１４の下カバー２４は、載置部である底板３０と、底板３０から本体筐体１４の四方の縁に向かって上向きに傾斜する傾斜板３２ａ，３２ｂ，３２ｃおよび３２ｄとを備える浅いトレー形状である。下カバー２４は、さらに底板３０から傾斜板３２ａ，３２ｂにかけて設けられた複数の音響孔３４からなる孔群３６ａ，３６ｂを備える。底板３０および傾斜板３２ａ〜３２ｄは１枚の金属板から得られ、部品点数が少なく低廉である。
【００２７】
傾斜板３２ａ，３２ｂ，３２ｃおよび３２ｄは、順に下カバー２４の右縁、左縁、前縁および後縁に沿って設けられている。底板３０と傾斜板３２ａとは屈曲部３８ａを介してしてつながっており、底板３０と傾斜板３２ｂとは屈曲部３８ｂを介してつながっており、底板３０と傾斜板３２ｃとは屈曲部３８ｃを介してつながっており、底板３０と傾斜板３２ｄとは屈曲部３８ｄを介してつながっている。前方の傾斜板３２ｃは幅が比較的広く、後方の傾斜板３２ｄは幅が比較的狭い。左右の傾斜板３２ａ，３２ｂは、前方の傾斜板３２ｃと後方の傾斜板３２ｄとをつなぐように、前端部は比較的広く、後端部は比較的狭くなるように幅が変化している。底板３０は下カバー２４の大部分を占める平板であり、複数のゴム足４０と、通気口４２とを備えている。孔群３６ａ，３６ｂの音響孔３４は、底板３０に設けられた第１群４４ａと、傾斜板３２ａ，３２ｂに設けられた第２群４４ｂとに分かれて設けられている。
【００２８】
孔群３６ａ，３６ｂは、スピーカ２６Ｒ，２６Ｌに対応した位置に設けられている。スピーカ２６Ｒ，２６Ｌに代えてスピーカ２７Ｒ，２７Ｌ（図１参照）を設ける場合には、仮想線で示すようにこれらに対応した位置に孔群３７ａ，３７ｂを設けるとよい。孔群３７ａ，３７ｂは孔群３６ａ，３６ｂと同様に複数の音響孔３４によって構成される。
【００２９】
図３は、図１におけるIII〜III線視による模式正面断面図である。図３に示すように、本体筐体１４の右の側壁２２ａおよび左の側壁２２ｂは上カバー２２の一部となっているが、設計条件によって下カバー２４の一部が側壁２２ａ，２２ｂを形成していてもよい。下カバー２４の屈曲部３８ａよりも右側、および屈曲部３８ｂよりも左側は傾斜板３２ａ，３２ｂが本体筐体１４の縁に向かって上向きに傾斜していることから、側壁２２ａ，２２ｂの上下方向幅は狭くなっており、意匠上で先鋭的なイメージ効果が得られる。上記のとおりスピーカ２６Ｒ，２６Ｌは本体筐体１４の右縁および左縁に沿って設けられている。スピーカ２６Ｒは底板３０から傾斜板３２ａに亘る上方部分に設けられ、スピーカ２６Ｌは底板３０から傾斜板３２ｂに亘る上方部分に設けられている。ただしスピーカ２６Ｒ、２６Ｌの左右方向寸法が小さい場合（例えば、高音再生専用の小サイズの場合）には、該スピーカ２６Ｒ，２６Ｌは傾斜板３２ａ，３２ｂの上方だけに配置され、底板３０の上方にまで延在していなくてもよい。この場合、第１群４４ａの音響孔３４を省略可能である。
【００３０】
図４は、図３の一部拡大模式正面断面図であり、右側のスピーカ２６Ｒおよびその周辺を示している。図５は、図２の一部拡大下面図であり、右側の孔群３６ａおよび周辺を示している。なお、左側のスピーカ２６Ｌとその周辺は図４と左右対称であり、左側の孔群３６ｂおよび周辺は図５と左右対称であることから、それぞれ詳細な説明を省略する。ただし、レイアウト上の理由などから各部が左右で多少非対称であってもよい。
【００３１】
図４に示すように、スピーカ２６Ｒの略半分は底板３０の上方に位置し、残余の略半分は傾斜板３２ａの上方に位置している。スピーカ２６Ｒは上部が上カバー２２の内面に沿った平板状となっている。スピーカ２６Ｒは下部が孔群３６ａを跨いで底板３０から傾斜板３２ａにかけて傾斜している。したがって、スピーカ２６Ｒは左寄り部分の上下方向幅が長く、右寄り部分の上下方向幅が短い形状となっている。スピーカ２６Ｒは上面がスポンジ５０を介して上カバー２２と接続されており、下面が２つのスポンジ５２を介して下カバー２４と接続されている。一方のスポンジ５２はスピーカ２６Ｒの下面左端部と底板３０における孔群３６ａよりもやや左側との間に設けられ、他方のスポンジ５２はスピーカ２６Ｒの下面右端部と傾斜板３２ａにおける孔群３６ａよりもやや右側との間に設けられている。スポンジ５０，５２により、スピーカ２６Ｒの振動が本体筐体１４に伝搬することが防止される。
【００３２】
スピーカ２６Ｒは上カバー２２と下カバー２４との間の空間の大部分を占め、しかも側壁２２ａの隙間は十分に狭くなっており、本体筐体１４内のスペース効率がよい。スピーカ２６Ｒは、例えばスポンジ５０または図示しない弾性ブッシュを介して上カバー２２に固定されており、その状態で上カバー２２に対して下カバー２４を取り付けることによりスポンジ５２が圧縮されて安定する。
【００３３】
スピーカ２６Ｒはスピーカユニット４６と、スピーカボックス４８とを有する。スピーカユニット４６は振動板４６ａの振動により音を発生させる。スピーカボックス４８は、一般にキャビネットまたはエンクロージャと呼ばれる部分であり、スピーカユニット４６が発する低音域の音を響かせるように適度な容積が確保されている。また、スピーカボックス４８はスピーカユニット４６以外の箇所は空洞４９であり、該スピーカユニット４６のバックチャンバとして機能し、音質が向上する。
【００３４】
スピーカユニット４６は左右端がそれぞれスピーカボックス４８の取付座４８ａ，４８ｂに固定されている。スピーカボックス４８の下面に形成される開口部はスピーカユニット４６で塞がれていることから、スピーカ２６Ｒは密封型スピーカを形成している。ただし、仕様によっては例えばバックロードホーン型やバスレフ型にしてもよい。
【００３５】
スピーカユニット４６は底板３０に対して傾斜して配置されている。具体的には、スピーカユニット４６の振動板４６ａ（該振動板４６ａが平面でない場合にはその断面図における両端を結ぶ線分）は、下カバー２４におけるスピーカユニット４６が対向する部分の平均傾斜角度に合わせて配置されている。この場合では、底板３０と傾斜板３２ａとの平均傾斜角度であり、換言すれば傾斜板３２ａの傾斜角度の１／２である。なお本願での平均傾斜角度とは厳密かつ正確でなくとも、スピーカユニット４６の音が音響孔３４を通過しやすいという効果が得られる程度の実質的な平均傾斜角度であればよい。また、振動板４６ａの中心線Ｊは屈曲部３８ａと交わる。振動板４６ａの下面左端と底板３０との隙間ｇ、および下面右端と傾斜板３２ａとの隙間ｇは等しい。振動板４６ａの下面左端と最も近い音響孔３４との距離ｄ、および下面右端と最も近い音響孔３４との距離ｄは等しい。
【００３６】
上記のとおり孔群３６ａを構成する複数の音響孔３４は底板３０に形成された第１群４４ａと、傾斜板３２ａに形成された第２群４４ｂとに分けて設けられている。音響孔３４は全て等しい円形であるが、第１群４４ａに設けられたものと第２群４４ｂに設けられたものとで傾斜角度が異なっている。すなわち、第１群４４ａの音響孔３４は底板３０の延在面に対して垂直に貫通しており、本体筐体１４の上下方向と平行である。第２群４４ｂの音響孔３４は傾斜板３２ａの延在面に対して垂直に貫通しており、傾斜板３２ａの傾斜角度に応じて傾斜している。音響孔３４は円形であることから形成するのが容易であるが、設計条件によっては他の形状、例えば矩形であってもよい。
【００３７】
傾斜板３２ａは、少なくとも音響孔３４が設けられている第２群４４ｂの領域は平板であり、底板３０と傾斜板３２ａとは屈曲部３８ａを介してつながっている。このような形状は、母材の平板に対して屈曲部３８ａを形成するだけで得られるため加工が容易である。
【００３８】
図５に示すように、底板３０の第１群４４ａおよび傾斜板３２ａの第２群４４ｂの音響孔３４はスピーカ２６Ｒに対面するほぼ全面にわたり縦横に並んで多数設けられている。第１群４４ａにおける隣接する音響孔３４の縦横の間隔ｐ１、および第２群４４ｂにおける隣接する音響孔３４の縦横の間隔ｐ２はいずれも十分に小さく設定されており、これらの領域における複数の音響孔３４による開口率が高く、スピーカ２６Ｒの音が通過しやすい。間隔ｐ１と間隔ｐ２とは等しく設定されていてもよい。なお、図５における第２群４４ｂの音響孔３４はやや縦長の楕円となっているが、傾斜板３２ａの面直方向からみると真円になる。第１群４４ａと第２群４４ｂとでは、音響孔３４が同数（例えば５列ずつ）配列されていると強度および音響上のバランスがよい。
【００３９】
また、底板３０と傾斜板３２ａとの間で屈曲部３８ａを介して隣接する音響孔３４の間隔ｐ３は、間隔ｐ１および間隔ｐ２よりも大きく設定されており、屈曲部３８ａを形成しやすく、しかも十分な強度が維持される。図５から明らかなように、屈曲部３８ａは本体筐体１４の縁を形成する側壁２２ａに対してわずかに傾斜している。孔群３６ａも屈曲部３８ａの延在方向に合わせ、側壁２２ａに対してわずかに傾斜している。スピーカ２６Ｒは側壁２２ａに対して平行しているが、レイアウト条件によっては屈曲部３８ａの延在方向に合わせて配置してもよい。
【００４０】
このように構成される情報機器１０では、傾斜板３２ａに設けられた音響孔３４は、該傾斜板３２ａに対して垂直に貫通していることからスピーカ２６Ｒの音が通り抜けやすく、いわゆる籠った音にならず音質を向上させることができる。また傾斜板３２ａと載置面（例えば机面）との間には隙間が確保されることから、傾斜板３２ａの音響孔３４を通過した音は本体筐体１４の側方に導かれ、ユーザは聴き取りやすい。
【００４１】
さらに、情報機器１０では音響孔３４の上方にスピーカユニット４６が配置されていることから、スピーカユニット４６と音響孔３４との距離が近く音が通りやすい。
さらにまた、スピーカユニット４６は下カバー２４における対向部分の平均傾斜角度に合わせて配置されていることから、音響孔３４の貫通方向は概ね振動板４６ａを指向し、音が通過しやすい。振動板４６ａから発生する音は放射状に発散するが、下方および斜め左方向に放射さる音は底板３０に設けられた音響孔３４から抜け、斜め右方向に放射される音は傾斜板３２ａに設けられた音響孔３４から抜ける。したがって、スピーカユニット４６の音はバランスよく、しかもほとんど阻害されることなく外部に放出される。
【００４２】
次に、本実施形態の変形例にかかる情報機器１０Ａ，１０Ｂについて説明する。情報機器１０Ａ，１０Ｂの説明において、上記の情報機器１０と同様の構成要素については同符号を付してその詳細な説明を省略する。図６は変形例にかかる情報機器を示す図であり，（ａ）は第１の変形例にかかる情報機器１０Ａの一部拡大断面正面図であり、（ｂ）は第２の変形例にかかる情報機器１０Ｂの一部拡大断面正面図である。情報機器１０Ａ，１０Ｂの本体筐体１４Ａ，１４Ｂには、上記の本体筐体１４と同様の位置にスピーカ２６Ｒが同様の向きで配置されている。
【００４３】
図６（ａ）に示すように、情報機器１０Ａの本体筐体１４Ａは、上カバー２２と下カバー２４Ａとを備える。下カバー２４Ａは、底板３０と、該底板３０から本体筐体１４Ａの縁に向かって上向きに傾斜する傾斜板３２ａａと、該傾斜板３２ａａからさらに縁に向かって上向きに傾斜する傾斜板３２ａｂとを備える。底板３０と傾斜板３２ａａとは屈曲部３８ａａを介してつながっており、傾斜板３２ａａと傾斜板３２ａｂとは屈曲部３８ａｂを介してつながっている。底板３０から傾斜板３２ａａおよび傾斜板３２ａｂにかけては複数の音響孔３４が形成されて孔群３６Ａａを構成している。音響孔３４は設けられている箇所、つまり底板３０、傾斜板３２ａａおよび傾斜板３２ａｂに対してそれぞれ垂直に貫通している。下カバー２４Ａは金属板であり、屈曲部３８ａａ，３８ａｂは曲げ加工により形成される。屈曲部３８ａａと屈曲部３８ａｂの屈曲角度は同じでもよいし異なってもよい。傾斜板３２ａａの長さと傾斜板３２ａｂの長さは同じでもよいし異なってもよい。また、設計条件により傾斜板３２ａａをさらに長く設定し、該傾斜板３２ａａがスピーカユニット４６の下方ほぼ全域を覆っていてもよい。屈曲部の数は３以上でもよい。
【００４４】
図６（ｂ）に示すように、情報機器１０Ｂの本体筐体１４Ｂは、上カバー２２と下カバー２４Ｂとを備える。下カバー２４Ｂは、底板３０と、該底板３０から本体筐体１４Ｂの縁に向かって上向きに傾斜する傾斜板３２ａｃとを備える。傾斜板３２ａｃは下に向かって凸の緩やかに湾曲した曲面であり、スピーカユニット４６の下方ほぼ全域を覆っている。底板３０と傾斜板３２ａｃとは連続的につながっている。傾斜板３２ａｃには複数の音響孔３４が形成されて孔群３６Ｂａを構成している。音響孔３４は設けられている箇所により傾斜板３２ａｃに対して垂直に貫通している。下カバー２４Ｂは金属板であり、傾斜板３２ａｃは曲げ加工により形成される。情報機器１０Ａ，１０Ｂは上記の情報機器１０と同様、またはほぼ同様の効果が得られる。
【００４５】
次に、情報機器１０の製造方法について説明する。図７は情報機器１０の製造方法を示すフローチャートである。図８は、情報機器１０の製造工程を説明する図であり、（ａ）は音響孔形成工程を説明する図であり、（ｂ）は曲げ工程を説明する図である。
【００４６】
図７のステップＳ１において、まず音響孔形成行程を実施する。すなわち、下カバー２４の母材となる金属板に対して複数の音響孔３４を形成する。図８（ａ）に示すように、音響孔形成工程では、複数の抜き孔５４が形成された台５６に下カバー２４の母材板を載置し、上方からＣＮＣ（Ｃｏｍｐｕｔｅｒｉｚｅｄ  Ｎｕｍｅｒｉｃａｌ  Ｃｏｎｔｒｏｌ）によるドリル５８で削孔する。ドリル５８が母材を貫通して抜き孔５４に嵌合することにより音響孔３４が形成される。形成された音響孔３４は母材に対して垂直に貫通している。複数のドリル５８を用いて音響孔３４のいくつかまたは全部を同時に形成してもよい。加工条件により台５６は省略してもよい。面に対して音響孔３４を垂直に形成する手段はドリル５８の他にも、例えばレーザーやパンチを用いてもよい。
【００４７】
ステップＳ２において曲げ工程を実施する。すなわち、複数の音響孔３４が形成された領域を含む箇所で金属板を曲げ加工し、底板３０と、傾斜板３２ａとを形成する。図８（ｂ）に示すように、曲げ工程では、それぞれ対向する形状に屈曲した面を備える上型６２と下型６４とで下カバー２４の半完成品を挟み込み、屈曲部３８ａ（図４参照）の箇所で曲げ、底板３０および傾斜板３２ａを形成する。曲げ工程では、屈曲部３８ａ〜３８ｄ（図２参照）を同時に形成してもよい。
【００４８】
ステップＳ３において組立て工程を実施する。すなわち、上カバー２２にスピーカ２６Ｒ，２６Ｌ、キーボード装置１２およびマザーボードなど所定の部品を取り付ける。スピーカ２６Ｒ，２６Ｌは、スピーカユニット４６が音響孔３４の上部になる位置に配置する。そして上カバー２２と下カバー２４とを組み合わせて本体筐体１４を得る。さらに、別途組み立てられたディスプレイ筐体１８を取り付けることにより情報機器１０が得られる。
【００４９】
このような情報機器１０の製造方法によれば、載置部である底板３０と、該底板３０から本体筐体１４の縁に向かって上向きに傾斜する傾斜板３２ａと、傾斜板３２ａに複数の音響孔３４とを形成することができる。また、音響孔３４はその位置により底板３０および傾斜板３２ａに対して垂直に貫通するように形成することができる。
【００５０】
本発明は、上記した実施形態に限定されるものではなく、本発明の主旨を逸脱しない範囲で自由に変更できることは勿論である。
【符号の説明】
【００５１】
１０，１０Ａ，１０Ｂ  情報機器
１４，１４Ａ，１４Ｂ  本体筐体
１８  ディスプレイ筐体
２２  上カバー
２２ａ，２２ｂ  側壁
２４，２４Ａ，２４Ｂ  下カバー
２６Ｒ，２６Ｌ  スピーカ
３０  底板
３２ａ，３２ａａ，３２ａｂ，３２ｂ，３２ｃ  傾斜板
３４  音響孔
３６ａ，３６ｂ，３６Ａａ，３６Ｂａ，３７ａ，３７ｂ  孔群
３８ａ，３８ａａ，３８ａｂ，３８ｂ，３８ｃ，３８ｄ  屈曲部
４４ａ  第１群
４４ｂ  第２群
４６  スピーカユニット
４６ａ  振動板
４８  スピーカボックス
【図１】
0006975763.tif 000002
【図２】
0006975763.tif 000003
【図３】
0006975763.tif 000004
【図４】
0006975763.tif 000005
【図５】
0006975763.tif 000006
【図６】
0006975763.tif 000007
【図７】
0006975763.tif 000008
【図８】
0006975763.tif 000009